(57)【特許請求の範囲】
【請求項１】
箱状本体(13)に配設される底板(24)に排水管(29)を設け、該排水管(29)を介して底板(24)上の水を外部に排出する排水構造であって、
前記底板(24)の下方に離間して支持板(26)を前記箱状本体(13)に配設し、連結部材(29)を介して底板(24)における排水管(29)の配設部位を支持板(26)に近接変位させた状態で連結することで、該底板(24)に排水管(29)に向かう下方傾斜を付与した
ことを特徴とする排水構造。
【請求項２】
前記連結部材は排水管(29)であって、該排水管(29)における前記底板(24)の下方に延出する部位に形成したネジ部(29c)を、前記支持板(26)の固定部(31)に螺挿した請求項１記載の排水構造。
【発明の詳細な説明】
【０００１】
【発明の属する技術分野】
本発明は、箱状本体に配設される底板に排水管を設けると共に、該排水管に向かう下方傾斜を底板に付与し、箱状本体の内部を清掃する際に使用した洗浄水等を、前記排水管を介して外部に排出させるようにした排水構造に関するものである。
【０００２】
【従来の技術】
多くのレストランや喫茶店等では、所要形状の筐体内に画成した収納室内に野菜や肉等の生鮮食品を長期に亘り貯蔵する貯蔵庫や、収納室内に収納した食器に熱風を当てて加熱することで消毒・乾燥する熱風式保管庫等が広く使用されている。例えば、図１２に示すように、前記熱風式保管庫５０は、外箱体５１と内箱体５２との間に断熱材を充填した断熱構造の断熱箱体５３を備え、該断熱箱体５３の内部には、所要の空間を保持して天板５６と左右の側板５７,５７とが配設され、この天板５６と左右の側板５７,５７とにより収納室５５が内部画成されている。また収納室５５には、両側板５７,５７間に架設された複数の棚５５ａが上下に所定間隔離間して多段的に配置され、各棚５５ａに、食器５５ｂを収容したカゴ５５ｃが載置されるようになっている。なお、天板５６の略中央部に吸込口５６ａが形成されると共に、両側板５７,５７には複数の吹出口５７ａ,５７ａが形成されている。
【０００３】
また、前記天板５６の上部に上部空間６１が画成され、この上部空間６１に送風機５９やヒータ６０が配置してある。そして、前記送風機５９を運転することにより、前記吸込口５６ａから収納室５５内の空気を吸込んでヒータ６０に接触させて加熱した後に、得られた熱風が前記側板５７,５７の吹出口５７ａ,５７ａから収納室５５内に流れ込むようになっている。そして、この熱風により収納室５５内に収納されている食器５５ｂを加熱して、消毒・乾燥するよう構成される。なお、前記送風機５９を駆動させるモータ５９ａは、前記外箱体５１の上部に画成される機械室に収容されている。
【０００４】
図１３に示すように、前記断熱箱体５３を構成する前記内箱体５２の底板５８は、その略中央部に向かって下方傾斜するよう絞り加工が施されている。また、この底板５８の略中央部には、所要の大きさの通孔５８ａが穿設され、この通孔５８ａに排水管６２が配設固定されるようになっている。更に、前記外箱体５１の底板５１ａにおける前記排水管６２と対応する位置に、該排水管６２を外部に通出させ得る通孔５１ｂが穿設してある。なお、図において符号５４は、両底板５８,５１ａの間に充填される断熱材を示すものであって、該断熱材５４にも排水管６２を通出させる通孔５４ａが穿設されている。すなわち、前記熱風式保管庫５０の収納室５５内に付着する汚れ等を水や洗剤等で洗浄した場合は、断熱箱体５３内に水等が滞留することなく、前記底板５８に設けた排水管６２から外部に排出される。
【０００５】
【発明が解決しようとする課題】
前記収納室５５内を水等を使用して洗浄した場合、該水等を効率的に排水管６２に導びいて水等が底板上に残るのを防止するためには、前述したように底板５８に傾斜を設け、その傾斜下側に排水管６２を配設する必要がある。しかし、前記底板５８に絞り加工で傾斜を設けるようにすると、加工コストが嵩む問題がある。また、絞り加工を行なう際には、前記底板５８に大きな負荷が掛かることになるので、該底板５８の表面に生じる疵等により製品の品質が低下する欠点も指摘される。
【０００６】
【発明の目的】
本発明は、前述した従来の技術に内在している前記課題に鑑み、これを好適に解決するべく提案されたものであって、疵等を発生させることなく底板に傾斜を付与し得ると共に、加工コストを低廉に抑えることができる排水構造を提供することを目的とする。
【０００７】
【課題を解決するための手段】
前記課題を克服し、所期の目的を好適に達成するため、本発明に係る排水構造は、
箱状本体に配設される底板に排水管を設け、該排水管を介して底板上の水を外部に排出する排水構造であって、
前記底板の下方に離間して支持板を前記箱状本体に配設し、連結部材を介して底板における排水管の配設部位を支持板に近接変位させた状態で連結することで、該底板に排水管に向かう下方傾斜を付与したことを特徴とする。
【０００８】
【発明の実施の形態】
次に、本発明に係る排水構造につき、好適な実施例を挙げて、添付図面を参照しながら以下詳細に説明する。なお本実施例では、箱状本体の内部に熱風を循環させることで食器を加熱して、消毒・乾燥する熱風式保管庫に、本発明に係る排水構造を実施する場合について説明する。
【０００９】
図１または図２に示すように、本実施例の熱風式保管庫１０は、前方に向かって開口する外箱体１１の内部に所要の間隔を存して前方に向かって開口する内箱体１２が配設されると共に、両箱体１１,１２間に断熱材を充填してなる箱状本体としての断熱箱体１３を備え、該断熱箱体１３の上部には、複数のパネル４５,４６,４６,４７,４８,４９から機械室４１が画成されている。なお、断熱箱体１３の前側開口は、図示しない断熱扉により開閉可能に閉成されるようになっている。
【００１０】
前記断熱箱体１３(内箱体１２)の内部は、その幅方向の略中央に立設された中板２５により左右に仕切られて、２つの収納室２１,２１が画成されている。なお、左右の収納室２１,２１に関連する構成は基本的に同一であるので、以下の説明では主に一方の収納室２１に関連する構成についてのみ説明し、他方の収納室２１に関連する同一部材には同じ符号を付して、その説明は省略する。
【００１１】
前記収納室２１は、内箱体１２の天井面１２ａと側面１２ｂおよび中板２５の夫々から所定間隔離間して配設された天板２２および左右の両側板２３,２３により内部画成されている。この収納室２１には、側板２３と中板２５との間に架設された複数の棚２０ａが上下に所定間隔離間して多段的に配置され、各棚２０ａに、食器２０ｂを収容したカゴ２０ｃが載置されるようになっている。なお、左右の収納室２１,２１は、前記中板２５の下部に設けられた隙間(図示せず)を介して連通している。
【００１２】
前記天板２２と内箱体１２の天井面１２ａとで上部空間２７が画成されると共に、各側板２３と内箱体１２の側面１２ｂまたは中板２５とで側部空間２８が夫々画成され、各側部空間２８は上部空間２７と連通している。また、天板２２の略中央部に吸込口２２ａが開設されると共に、各側板２３の所要位置には複数の吹出口２３ａが穿設されており、前記上部空間２７と側部空間２８,２８は、吸込口２２ａおよび吹出口２３ａ,２３ａを介して収納室２１に連通するようになっている。更に、上部空間２７には、送風機１５やヒータ１６が配置してある。そして、送風機１５を運転することにより、前記吸込口２２ａから収納室２１内の空気を吸込んでヒータ１６に接触させて加熱した後、得られた熱風が側部空間２８,２８を通って前記吹出口２３ａ,２３ａから収納室２１内に吹き出し、収納されている食器２０ｂを加熱・消毒するよう構成される。
【００１３】
図３または図４に示すように、前記内箱体１２を構成する平板状の底板２４には、その略中央部に第１通孔２４ａが穿設され、該第１通孔２４ａに後述する排水管２９を挿入し得るようになっている。なお、第１通孔２４ａは、一方の収納室２１に開口するが、前述したように前記中板２５下部の隙間により他方の収納室２１からの水等も第１通孔２４ａ側に流し得るよう構成してある。前記内箱体１２の底板２４から下方に離間する位置に、内箱体１２および外箱体１１の左右両側壁を連結するための横ステー３８,３８が前後に所定間隔離間して配設され、この横ステー３８,３８の下面側に、外箱体１１の底板が配設される。この底板は、略同等の大きさで左右に分割された２枚の底板１１ａ,１１ａからなり、前記第１通孔２４ａの下方に位置しないよう、この２枚の底板１１ａ,１１ａが熱風式保管庫１０の幅方向(左右方向)に所要間隔で離間して配設されている。また前後の横ステー３８,３８間には、前記第１通孔２４ａを挟んで左右に離間して一対の縦ステー３９,３９が架設され、該縦ステー３９,３９により各底板１１ａの対応する端部を支持するよう構成される。そして、両縦ステー３９,３９の間に臨む左右の底板１１ａ,１１ａ間に、支持板２６が横ステー３８,３８に架設された状態で配設されている。なお、図３において符号１３ａは、前記底板２４と各底板１１ａとの間に充填される断熱材を示すものであって、該断熱材１３ａも前記第１通孔２４ａの下方に位置しないよう設定される。
【００１４】
前記支持板２６は、前記底板２４に穿設された第１通孔２４ａの下方位置において、前記外箱体１１の底板１１ａ,１１ａと同一面となるように配設され、底板２４とは所要間隔で離間する状態で対向するようになっている。この支持板２６は、前記内箱体１２の底板２４より充分に板厚が大きく設定されている。更に、支持板２６における前記第１通孔２４ａと上下で整列する位置には、前記排水管２９を挿通し得る第２通孔２６ａが穿設してある。なお、支持板２６の第２通孔２６ａを穿設する部位を、図４(ａ)に示すように、前記底板２４側に向けて突設することで、該支持板２６の剛性をより向上させてある。
【００１５】
前記内箱体１２の底板２４に配設される連結部材としても機能する排水管２９は、図４(b)に示すように、前記第１通孔２４ａより大径の大径筒部２９ａと、その下端に連設されて第１通孔２４ａおよび第２通孔２６ａに挿通可能な小径の小径筒部２９ｂとから構成され、該小径筒部２９ｂの外周面にはネジ部２９ｃが形成されている。そして、前記底板２４の上方から第１および第２通孔２４ａ,２６ａに小径筒部２９ｂを挿通させたもとで、前記支持板２６の下側に設けたナット(固定部)３１にネジ部２９ｃを螺挿することで、当該排水管２９が断熱箱体１３に固定されるようになっている。この場合に、底板２４と支持板２６との離間距離を、無負荷状態での離間距離より短かくなるよう排水管２９のネジ部２９ｃをナット３１に螺挿することで、剛性の低い底板２４における排水管２９の配設部位を支持板２６に近接するよう変位させている。すなわち、排水管２９により底板２４と支持板２６とを連結することで、該底板２４に排水管２９に向かう下方傾斜を付与するよう構成される。なお、前記小径筒部２９ｂは、ゴムパッキン等のシール材２９ｄを外嵌させたもとで前記第１通孔２４ａに挿通され、底板２４上面と大径筒部２９ａの下面とで該シール材２９ｄを挟圧することで水密性を保持している。また前記支持板２６は、脚４０の取付部材としても機能している。
【００１６】
図５に示すように、前記内箱体１２の各側面１２ｂおよび中板２５の両側面には、前記複数の棚２０ａを配置し得る平断面においてコ字状を呈する一対の設置部３２,３２が、前後方向に所要間隔離間して夫々配設固定されており、両設置部３２,３２の各対向面３２ａには、上下に離間して一対の固定ピン３２ｂ,３２ｂが夫々突設されている。そして、前記収納室２１を画成する各側板２３は、その前後方向の幅寸法が前記設置部３２,３２の離間寸法と略同等に設定された平板状に形成されると共に、その前後の両側縁部には、内箱体１２の側面１２ｂまたは中板２５の側面に向かって延出するフランジ２３ｂ,２３ｂが略直角に折曲形成されている。また、両フランジ２３ｂ,２３ｂの端縁は内側に折り返されて、所謂ハゼ折り加工が施され、端縁が外側に露出しないようにしてある。更に、前記側板２３のフランジ２３ｂ,２３ｂには、前記設置部３２の各固定ピン３２ｂと夫々対応する位置に、開放端側に開放するＬ字状の係止孔２３ｃが形成されており、各固定ピン３２ｂを係止孔２３ｃに挿通したもとで、側板２３を下方にスライド移動することにより、前記内箱体１２に側板２３が配設され、その間に前記側部空間２８を画成するようになっている。
【００１７】
前記ヒータ１６に近接する適宜位置には、図６(ａ)〜(ｃ)に示す如く、該ヒータ１６の通電制御を行なうヒータ用の過熱防止手段としてのガス式サーモスタット３３(以下、単にサーモスタットと称す)の感温部３３ａおよび、庫内の温度制御を行なうサーミスタ３４が配設されている。このサーモスタット３３およびサーミスタ３４をヒータ１６に近接する位置に配設する挟持部材３５は、支持部３５ａと固定部３５ｂとからなるＬ字状に形成され、該固定部３５ｂが前記内箱体１２の側面１２ｂに着脱可能に固定される。また上方に延出する前記支持部３５ａには、その上端縁を略３等分した中央部を、前記固定部３５ｂの延出方向から見て、手前側(図６(ｃ)において左側)に向け所要位置まで切り起こすと共に、その上端部近傍を奥側に向けて屈曲することで略く字状の第１の挟持片３６を形成してある。ここで、前記第１の挟持片３６の屈曲部位と前記支持部３５ａとの間の寸法は、前記サーモスタット３３における感温部３３ａの径方向寸法より僅かに小さくなるよう設定されている。すなわち、サーモスタット３３における感温部３３ａを支持部３５ａと第１の挟持片３６との間に上方から強制的に嵌挿することにより、該第１の挟持片３６の弾性変形を伴って感温部３３ａが第１の挟持片３６と支持部３５ａとの間に挟持固定される。なお、第１の挟持片３６の幅方向寸法は、サーモスタット３３の感温部３３ａの長さ寸法より小さく設定されており、該感温部３３は、第１の挟持片３６と、該挟持片３６の左右両側に位置する支持部３５ａとの三点で挟持されるようになっている。
【００１８】
また、前記支持部３５ａにおける略３等分した右側(図６(ａ)において)の部位における上端部は、前記第１の挟持片３６の切り起こし方向と反対側に折り返され、その下端部に第２の挟持片３７が形成される。この第２の挟持片３７は、図６(ｃ)に示すように、一旦奥側に向け屈曲した後に手前側に向けて屈曲することで略逆く字状に形成されている。なお、第２の挟持片３７の屈曲部位と支持部３５ａとの間の寸法は、前記サーミスタ３４の径方向寸法より僅かに小さく設定される。そして、この第２の挟持片３７と支持部３５ａとの間に前記サーミスタ３４を側方から強制的に嵌挿することで、該第２の挟持片３７の弾性変形を伴ってサーミスタ３４が第２の挟持片３７と支持部３５ａとの間に挟持固定されるようになっている。
【００１９】
前記外箱体１１の上部には、図７に示すように、各角部にＬ字型の保持部材４２が夫々立設されている。そして、これらの保持部材４２に、フロントパネル４５、表示パネル４９、側面パネル４６,４６、背面パネル４８および上面パネル４７が夫々着脱可能に配設されて、前記機械室４１を画成している。この機械室４１には、前記送風機１５を駆動させるモータ１８や、該モータ１８および前記ヒータ１６等を制御する制御部品を収容した電装箱１９が配設される。なお、背面パネル４８には機械室４１の過熱を防止する複数の通気孔４８ｂが穿設され、またフロントパネル４５の下方に配設される表示パネル４９には、前記熱風式保管庫１０の運転状況等を表示し得る表示部(図示せず)が設けられている。
【００２０】
ここで、前記保持部材４２について詳しく説明する。なお、各保持部材４２の基本的な構造は同一であるので、前側に配設される一方の保持部材４２を例にして説明する。図８に示すように、前記保持部材４２における第１片部４３(フロントパネル４５と対向する側であって、後側に配設される保持部材４２においては背面パネル４８と対向する側となる)の下方位置には、外側上方を指向する第１の切起片４３ａが形成されている。そして、この第１の切起片４３ａに、前記表示パネル４９における後面の側部近傍に穿設される係合孔４９ａを上方から挿通することで、該表示パネル４９が保持部材４２に取付けられるよう構成される。
【００２１】
また、前記保持部材４２の第１片部４３には、前記第１の切起片４３ａから所要間隔離間した上部位置に、同一形状の第２の切起片４３ｂが形成される。そして、この第２の切起片４３ｂに、前記フロントパネル４５における後面の側部近傍に穿設される係合孔４５ａを上方から挿通することで、該フロントパネル４５が保持部材４２に取付けられる。なお、保持部材４２にフロントパネル４５および表示パネル４９を配設した際に、両パネル４５,４９が干渉することのないように、前記第１および第２の切起片４３ａ,４３ｂや係合孔４５ａ,４９ａの位置が設定される。またフロントパネル４５の上部は、保持部材４２にネジ止めされるよう構成してある。
【００２２】
前記保持部材４２の第２片部４４(側面パネル４６と対向する側)の下方位置には、Ｌ字型に屈曲された第３の切起片４４ａが形成され、その外方端縁は上方を指向している。また、前記側面パネル４６における第３の切起片４４ａと対応する位置には、波形状に屈曲された弾性変形し得るバネ片４６ｂの上端部が固定されており、このバネ片４６ｂを第３の切起片４４ａに上方から嵌合することで、該側面パネル４６が保持部材４２に取付けられる。更に、前記保持部材４２における第１片部４３の上縁部には、第１の切欠部４３ｃが設けられている。そして、バネ片４６ｂに第３の切起片４４ａを嵌合した際に、側面パネル４６の内面側の上縁部に形成された係合部４６ａを、前記第１の切欠部４３ｃに係合することで、保持部材４２に対して側面パネル４６は前後および左右方向(内外方向)に移動するのを規制された状態で取付けられるよう構成される。
【００２３】
なお、前記機械室４１の後側に設けられる保持部材４２では、前記背面パネル４８と対向する第１片部４３に、前記第１および第２の切起片４３ａ,４３ｂが形成され、両切起片４３ａ,４３ｂに、背面パネル４８における前面の側部近傍に穿設される上下の係合孔４８ａ,４８ａを上方から挿通することで、該背面パネル４８が保持部材４２に取付けられるようになっている。
【００２４】
前記機械室４１に配設される前記左右の収納室２１,２１に対応する送風機１５,１５の夫々を駆動するモータ１８,１８には自冷ファン(図示せず)が配設され、モータ１８,１８の過熱を防止している。そして、図９に示すように、各自冷ファンからの風が互いに干渉することで冷却効率が低下しないように、前記両モータ１８,１８の配設位置の間に仕切板４１ａが配設され、前記機械室４１内の温度上昇を防止し得るよう構成されている。
【００２５】
【実施例の作用】
次に、実施例に係る熱風式保管庫の排水構造の作用について説明する。図３または図４に示すように、本実施例の熱風式保管庫１０では、内箱体１２を構成する平板状の底板２４の略中央部に穿設された第１通孔２４ａの下方に離間して、第２通孔２６ａが穿設される剛性の高い支持板２６が配設されている。そして、前記排水管２９における小径筒部２９ｂを底板２４の上方から第１および第２通孔２４ａ,２６ａの夫々に挿通したもとで、支持板２６の下面に当接させたナット３１に排水管２９のネジ部２９ｃを螺挿することで、前記収納室２１に連通する排水管２９が前記断熱箱体１３に取付けられる。
【００２６】
このとき、前記ネジ部２９ｃをナット３１に強制的にネジ込むことで、剛性の低い前記底板２４が撓んで、該底板２４は前記第１通孔２４ａ、すなわち排水管２９の配設部位に向かって下方傾斜するようになる。従って、前記収納部２１の清掃等に際して使用された洗浄水等は、底板２４の傾斜に沿って排水管２９に向けて自然に流下し、該排水管２９から外部に排出される。すなわち、前記底板２４を絞り加工する必要がないので、加工コストの低減や作業工数の削減等を図り得る。また、絞り加工を行なわないから、底板２４に疵等が付くことはなく、製品品質を向上することができる。
【００２７】
前記内箱体１２の側面１２ｂや中板２５の側面に取付けられる前記各側板２３は、図５に示すように、その取付部となる両フランジ２３ｂ,２３ｂの端縁部をハゼ折り加工したことにより強度が向上している。従って、前記設置部３２に設けた固定ピン３２ｂを側板２３のフランジ２３ｂに形成した係止孔２３ｃに挿通係止した場合でも、損傷等の畏れがない。なお従来は、側板における係止孔の近傍に補強板を配設して補強を図っていたが、実施例では補強板を省略し得るから、部品点数を少なくしてコストを低減させると共に、組立て工数を削減することが可能となる。また、前記側板２３におけるフランジ２３ｂの端縁部をハゼ折り加工することで、端縁が外部に露出することがなく安全性は向上する。
【００２８】
次に、図６に示すように、前記ヒータ１６の過熱防止手段であるサーモスタット３３の感温部３３ａは、該ヒータ１６に近接する所要位置に配設した前記挟持部材３５の支持部３５ａと第１の挟持片３６とで挟持固定されている。すなわち、支持部３５ａと第１の挟持片３６の間に前記感温部３３ａを強制的に嵌挿することにより、該第１の挟持片３６が弾性変形されて該感温部３３ａを着脱可能に挟持固定するよう構成したので、別部材をネジ等で支持部に取付けて感温部３３ａを挟持固定する従来に比べて、部品コストの低減や作業工数の削減を図り得る。更に、庫内の温度制御手段である前記サーミスタ３４も、前記支持部３５ａと第２の挟持片３７との間に強制的に嵌挿することにより、該第２の挟持片３７が弾性変形されて該サーミスタ３４を着脱可能に挟持固定するようにしたので、別部材をネジ等で支持部に取付けてサーミスタを挟持固定する従来に比べて、部品コストの低減や作業工数の削減を図ることができる。
【００２９】
前記機械室４１では、図７または図８に示すように、前記外箱体１１の上部前側に立設された２つの保持部材４２,４２の各第１片部４３に形成した第１および第２の切起片４３ａ,４３ｂに、フロントパネル４５および表示パネル４９の対応箇所に形成した係合孔４５ａ,４９ａを挿通することで、両パネル４５,４９が保持部材４２,４２に着脱可能に配設されている。また、同様の構成で背面パネル４７が、後側の２つの保持部材４２,４２に着脱可能に配設される。このように、保持部材４２自体に形成した切起片４３ａ,４３ｂにより、フロントパネル４５、表示パネル４９および背面パネル４８を配設するよう構成したから、従来のように各パネルを係止するためのピン等をカシメ固定する場合に比べ、部品点数や工数を低減することができ、コストを低廉に抑えることが可能となる。
【００３０】
更に、前後に対向する２つの保持部材４２,４２の各第２片部４４に形成された第３の切起片４４ａに、側面パネル４６のバネ片４６ｂを嵌合すると共に、該側面パネル４６の係合部４６ａを第１片部４３の第１の切欠部４３ｃに係合することで、側面パネル４６が保持部材４２,４２に着脱可能に配設されている。すなわち、側面パネル４６の取付けに関しては、保持部材４２に形成する第３の切起片４４ａおよび側面パネル４６に設けるバネ片４６ｂを一つとし、両部材４６,４２の係合部４６ａと第１の切欠部４３ｃとを係合するよう構成したことで、従来のように２つの切起片やバネ片を設けている場合に比べて、部品点数や工数を低減することができ、コストは低廉に抑えられる。しかも、係合部４６ａと第１の切欠部４３ｃとの係合により、側面パネル４６の前後および左右方向のガタ付きが小さくなる。
【００３１】
また、図９に示すように、前記機械室４１に仕切板４１ａを設け、各収納室２１に対応する送風機１５を駆動するモータ１８や電装箱１９を、夫々独立した空間に配設するようにしたので、各モータ１８を冷却する自冷ファンの風が相互に干渉することなく、熱を効率的に機外に排出することができる。このため、機械室４１の過熱による誤作動や運転効率の低下等を防止し得る。
【００３２】
【変更例】
前述した実施例では、熱風式保管庫内に画成される収納部に対応して、送風機およびヒータを夫々１基配設するようにしたが、該収納部の容積が増大するのに応じて送風機およびヒータを複数基配設する場合もある。このような場合には、各送風機からの熱風が互いに干渉して、熱風の収納部内での循環効率が低下する畏れがある。また、前記収納部が大きくなることで、該収納部内の風量のばらつきが大きくなる欠点もある。そこで、例えば、図１０に示すように、上部空間２７内の幅方向中央に、前後に２基の送風機１５,１５を配置すると共に、その左右両側にヒータ１６を夫々配設する場合に、両送風機１５,１５の間を前後に仕切る仕切板７０を上部空間２７の全幅に亘って設ける。この場合は、送風機１５およびヒータ１６は仕切板７０で仕切られた独立した空間に位置しているから、各送風機１５からの熱風が互いに干渉することはなく、収納部内での熱風の循環効率を向上させ得る。更に、仕切板７０を設けることで、熱風の風量のばらつきも抑制される。しかも、前後方向の寸法が半分の装置を前後に２台並べたのと略同じ構成であるから、その計設・開発期間は短かくなる。
【００３３】
図１０に示す変更例では、前記上部空間２７を仕切板７０により２つに完全に分割し、各空間に送風機１５およびヒータ１６を設けるようにしたが、図１１に示すように、送風機１５,１５を配設する部位のみを仕切板７１で前後に仕切るようにしてもよい。この場合も、両送風機１５,１５からの熱風の干渉を仕切板７１で効果的に防止し、収納室内での熱風の循環効率を向上できると共に、熱風の風量のばらつきを抑制し得る。また、ヒータ１６,１６の配設部位を仕切る必要がないので、上部空間２７の構造を簡単にすることができ、コストの低減や作業の容易化を図ることができる。
【００３４】
本実施例の排水構造では、前記排水管を支持板とは別体のナットに螺挿するよう構成したが、前記支持板に設けた固定部としてのネジ孔に排水管を螺挿する構成を採用し得る。また、実施例では排水管を連結部材として兼用するよう構成したが、排水管とは別部材の連結部材により底板と支持板とを連結するようにしてもよい。更に、実施例では断熱箱体内に２つの収納室を並列に画成したが、収納室は１つであってもよく、また外箱体の底板を一枚板とすると共に剛性を高めることで、該底板を支持板として兼用させることが可能である。
【００３５】
なお、前述の実施例および変更例では、本発明に係る排水構造を採用する装置として、断熱箱体の収納部内に熱風を循環させて、食器等の乾燥・消毒を行なう熱風式保管庫を例にして説明したが、本願はこれに限られるものでなく、例えば冷蔵庫や冷凍庫等にも好適に実施可能であり、該底板に排水管を配設するものであれば、何れのものにも採用し得る。
【００３６】
【発明の効果】
以上説明したように、本発明に係る排水構造によれば、底板の下方に離間して配設した支持板と該底板とを連結部材を介して連結する際に、底板における排水管の配設部位を支持板に近接変位させるよう構成したから、該底板を絞り加工することなく排水管に向かう下方傾斜を付与することができる。すなわち、絞り加工による加工コストの上昇を抑えることができると共に、加工に伴う疵等の発生を防止して製品品質を向上し得る。また、排水管を連結部材として用いることで、部品点数を低減することができる。
【図面の簡単な説明】
【図１】  本発明の実施例に係る熱風式保管庫を示す概略図である。
【図２】  実施例に係る熱風式保管庫を底面側から見た概略斜視図である。
【図３】  実施例に係る熱風式保管庫における断熱箱体の底部を分解した状態で示す概略斜視図である。
【図４】  (ａ)は実施例に係る内箱体の底板と、支持板および排水管を分解した状態で示す斜視図であり、(ｂ)は排水管を拡大して示す斜視図である。
【図５】  実施例に係る内箱体の側面から側板を取外した状態で示す斜視図である。
【図６】  サーモスタットおよびサーミスタをヒータに近接する位置に固定する挟持部材を示し、(ａ)は平面図であり、(ｂ)は正面図であり、(ｃ)は側面図である。
【図７】  実施例に係る熱風式保管庫の機械室を構成する各パネルを分解した状態で示す斜視図である。
【図８】  実施例に係る保持部材とフロントパネル、表示パネルおよび側面パネルとの関係を示す要部概略斜視図である。
【図９】  実施例に係る熱風式保管庫の機械室を概略で示す平面図である。
【図１０】  変更例に係る熱風式保管庫の上部空間を示す概略図である。
【図１１】  別の変更例に係る熱風式保管庫の上部空間を示す概略図である。
【図１２】  従来の技術に係る熱風式保管庫を示す概略図である。
【図１３】  従来の技術に係る熱風式保管庫における断熱箱体の底部を分解した状態で示す概略斜視図である。
【符号の説明】
１３ 断熱箱体(箱状本体)，２４ 底板，２６ 支持板，２９ 排水管
２９ｃ ネジ部，３１ ナット(固定部)
【図１】
0003824550.tif 000002
【図２】
0003824550.tif 000003
【図３】
0003824550.tif 000004
【図４】
0003824550.tif 000005
【図５】
0003824550.tif 000006
【図６】
0003824550.tif 000007
【図７】
0003824550.tif 000008
【図８】
0003824550.tif 000009
【図９】
0003824550.tif 000010
【図１０】
0003824550.tif 000011
【図１１】
0003824550.tif 000012
【図１２】
0003824550.tif 000013
【図１３】
0003824550.tif 000014